(57)【要約】      （修正有）【課題】人の足指形状と同一に形成して履いたときに楽で汗の吸収度が高いながらも通気性が良いため、足の健康を増進しえる機能性靴下を提供する。【解決手段】本発明の靴下は、足指部５が親足部分５ａと人指足指部分５ｂは広く小指部分５ｃは狭くなるよう左右非対称形状で段階的に編成され；前記足指部５の水平最底面Ｙを基準として親足指部分５ａおよび人指足指部分５ｂの表・裏面側端部Ａｂ，Ｄｂの傾斜θ１，θ４は４０〜５０°であり、側端部Ｂｂ，Ｃｂの傾斜θ２，θ３は６０〜７０°であり、小指部分５ｃの表・裏面側端部Ａａ，Ｃａ，Ｄａの傾斜θ６，θ７，θ８は４０〜５０°であり、側端部Ｂａの傾斜θ６は６０〜７０°になるよう段階的にその幅が狭くなるように編成することにより段階的に傾斜度を異にして編成している。【選択図】図１
2006144209.tif 000002
【特許請求の範囲】
【請求項１】
足部１、踵部２、足裏部３、足甲部４および足指部５が袋状に編成される通常の靴下において、
前記足指部５がその親足指部分５ａおよび人指足指部分５ｂは広く小指部分５ｃは狭いように左右非対称形状に段階的に編成され；
前記足指部５の水平最底面Ｙを基準として親足指部分５ａおよび人指足指部分５ｂの表・裏面の第１，４，５，８編成部分Ａ，Ｄ，Ｄ′，Ａ′の側端部Ａｂ，Ｄｂにおける傾斜θ１，θ４は４０〜５０°であり、第２，３，６，７編成部分Ｂ，Ｃ，Ｃ′，Ｂ′の側端部Ｂｂ，Ｃｂの傾斜θ２，θ３は６０〜７０°であり、小指部分５ｃの表・裏面第１，３，４，５，６，８編成部分Ａ，Ｃ，Ｄ，Ｄ′，Ｃ′，Ａ′の側端部Ａａ，Ｃａ，Ｄａにおける傾斜θ６，θ７，θ８は４０〜５０°であり、第２，７編成部分Ｂ，Ｂ′の側端部Ｂａの傾斜θ６は６０〜７０°になるよう段階的にその幅が狭くなりながら傾斜度を異にして編成され；
前記足指部５の左右側端の編環が中間部分の編環より長く形成されて通気性が優れ；
人の足指形状と一致させることにより右足用および左足用が区別できるように編成されたことを特徴とする靴下。
【請求項２】
足部１、踵部２、足裏部３、足甲部４および足指部５が袋状に編成される靴下の編成方法において、
前記足指部５の編成時に正・逆両方向へそれぞれ４〜６°の範囲内のニードルシリンダー上の編針を順次に１：１の比率で非動作状態で移動させてその両側端部Ａａ，Ａｂを編成しながら、前記足裏部３に連なる足指部５の始め部分になる第１編成部分Ａを形成し；
前記第１編成部分Ａに連続して正・逆方向へそれぞれ８〜１２°の範囲内のニードルシリンダー上の編針を順次に非動作状態で移動させ、さらに後に移動された編針一つを動作状態で移動させた後、直ちに非動作状態で移動させる動作を１サイクルとして２〜４回繰り返すことにより、小指部分５ｃの側端部Ｂａと親足指部分５ａおよび人指足指部分５ｂの側端部Ｂｂを編成して、前記第１編成部分Ａよりその幅が狭くなる第２編成部分Ｂを形成し；
前記第２編成部分Ｂに連続して親足指部分５ａおよび人指足指部分５ｂの側端部Ｃｂは正・逆方向へそれぞれ１６〜２４°の範囲内のニードルシリンダー上の編針を順次に非動作状態にする動作を２回繰り返した後、正方向で一つの編針を動作状態にし、逆方向では一つの編針を非動作状態にし、その次に正・逆方向ではそれぞれ一つの編針を動作状態にするが、この際、小指部分５ｃの側端部Ｃａは正・逆両方向へそれぞれ３６〜４４°の範囲内のニードルシリンダー上の編針を順次に１：１の比率で非動作状態で繰り返し移動させるこのような動作を１サイクルとして４回繰り返し編成しながら、第３編成部分Ｃを編成し；
前記第３編成部分Ｃに連続して正・逆両方向へそれぞれ４〜８°の範囲内のニードルシリンダー上の編針を順次に１：１の比率で非動作状態で移動させて側端部Ａａ，Ｄｂを編成しながら、足指部の裏面の最前方部分になる第４編成部分Ｄを編成して裏面足指部を形成し；
連続して前記第４編成部分Ｄと同様な手順を継続繰り返してそれと同一な第５編成部分Ｄ′を編成し；
前記第５編成部分Ｃに連続して親足指部分５ａおよび人指足指部分５ｂの側端部Ｃｂは正・逆方向へそれぞれ１６〜２４°の範囲内のニードルシリンダー上の編針を順次に動作状態にする動作を２回繰り返した後、正方向で一つの編針を非動作状態にし、逆方向では一つの編針を動作状態にした後、正・逆方向ではそれぞれ一つの編針を非動作状態にするが、この際、小指部分５ｃの側端部Ｃａは正・逆両方向へそれぞれ３６〜４４°の範囲内のニードルシリンダー上の編針を順次に１：１の比率で動作状態で繰り返し移動させるこのような動作を１サイクルに４回繰り返しながら、第６編成部分Ｃ´を編成し；
前記第６編成部分Ｃ´に連続して正・逆方向へそれぞれ８〜１２°の範囲内のニードルシリンダー上の編針を順次に動作状態で移動させ、さらに後に移動された編針一つを非動作状態で移動させた後、直ちに動作状態で移動させる動作を１サイクルに２〜４回繰り返して小指部分５ｃの側端部Ｂａと親足指部分５ａおよび人指足指部分５ｂの側端部Ｂｂを編成しながら、第７編成部分Ｂ′を編成し；
前記最７編成部分Ｂ′に連続して正・逆両方向へそれぞれ４〜６°の範囲内のニードルシリンダー上の編針を順次に１；１の比率で動作状態で移動させてその両側端部Ａａ，Ａｂを編成しながら、足指部５と足甲部４との間の縫込み部分になる第８編成部分Ａ′を編成して表面足指部を形成する段階らからなることを特徴とする靴下の編成方法。
【発明の詳細な説明】
【技術分野】
【０００１】
本発明は靴下およびその編成方法に関し、より詳細には右側および左側の靴下それぞれの左右両側が非対称的に編成されて人の左右側の足指形状と同一に形成された靴下およびその編成方法に関する。
【背景技術】
【０００２】
最近には靴下も他の衣類と同様に我等の生活の質を一層向上させられるよう外観のデザインは勿論その機能面を重視して材質および編成構造面において多くの改良がなされ高級化されている。
【０００３】
その一例として、昔には単純に防寒用や足を保護する丈夫な靴下を選好したが、今は歩くときは勿論運動をする時にも靴下が容易く垂れ下がらないようにし、また、汗を良く吸収して足を健康に保護し得るよう特殊の高級素材で編成して着用感を高め、人体の健康増進に大いに寄与し得る色々な機能が付加された靴下が開発されている。当然にこれら靴下の製造単価は高価になる外は無いが，最近国内の消費者は値段は高くても機能が多様な高級靴下をより選好している。
【０００４】
通常的に、靴下は足指部分が略４５°傾斜の左右同一の形状に狭くなるピラミッド形状に編成されているが、このような靴下は、履いたとき親足指および人指足指は多少きっちりと嵌る反面、小指部分は緩くたぶたぶであるため、足の格好が見苦しく、また、靴との摩擦により編成物が磨り減る親足指部分に穴が空くなど、他の部分より早く破損されるため、非経済的であり、長期間着用時には甚だしい場合は親足指および人指足指がやや曲がる畸形を招くこともある。
【０００５】
それで、最近には高い生活の質を追求する消費者の趨勢に合わせて気楽で着用感が優れた靴下を製造するために、親足指と人指足指部分に布を付加するようなＹ字形に広がるように編成し、他の足指部分は普通の靴下のように編成して特定部分の面積を広めた靴下が市販されている。
【０００６】
このようなＹ字形方式の編成方法は、通常的に踵に適用している編成方式で、踵部の面積拡張には非常に有用であるが、これを足指部分に適用して編成する場合、その左・右側の編成をそれぞれ別途の段階で編成しなければならないため、編成コースの数が多くなるので、工程が複雑であり、親足指部分が締められる感じがある程度に他部分より稠密に編成されて、既存の編成方法より編糸量が多く所要されるのみならず、通気性が劣る短点があった。
【０００７】
それだけでなく、親足指部分が普通の靴下よりは拡張形成されて楽であるが稠密に編成されるため、多少締められる感じがあるので、着用感も満足し得る水準ではなく、何よりも編環形成過程で張力が大きいため、不良品発生率が高く生産効率が非常に低調であった。
【発明の開示】
【発明が解決しようとする課題】
【０００８】
本発明者は良質の生活を追求する消費者の購買趨勢に符合し得る高付加価値の靴下を製造するために多様な方面から研究・開発を試図する中に、靴下を人の足指形態に合わせて編成する場合、着用時の外観形態も良いのは勿論、足の左・右側形状にきっちり合うため、履いたときに気楽であり、一般消費者が一見で機能性靴下の特徴を直ちに分かるので、製品の価値を高めることができ、普通の靴下との差別化が可能であるため販売が容易であり、販売量も増大し得られる展望に着目して、人体工学的に編成された靴下およびそのような靴下を製造し得る方法を開発するに至った。
【０００９】
すなわち、本発明は足指部の編成動作時に左側および右側の編針の動きを適切に制御して靴下の親足指部分および人指足指部分が広く小指側へ行くほど漸次に狭く編成して小指部分が最も狭く編成することにより、人の足指形状と同一に形成して履いたときに楽で汗の吸収度が高いながらも通気性が良いため、足の健康を増進しえる機能性靴下を提供することをその目的とする。
【課題を解決するための手段】
【００１０】
本発明による靴下は足部、踵部、足裏部、足甲部および足指部を袋状に編成する通常の靴下において、
前記足指部がその親足指部分および人指足指部分は広く小指部分は狭く左右非対称形状に段階的に編成され；前記足指部の水平最底面を基準として親足指部分および人指足指部分の表・裏面の第１，４，５，８編成部分の側端部の傾斜は４０〜５０°であり、第２，３，６，７編成部分の側端部の傾斜は６０〜７０°であり、小指部分の表・裏面第１，３，４，５，６，８編成部分の側端部の傾斜は４０〜５０°であり、第２，７編成部分の側端部の傾斜は６０〜７０°になるよう段階的にその傾斜度を異にしながら編成され；左右側端の編環が中間部分の編環よりやや長く形成されて通気性が優れ、人の足指形状と一致しながら一見して右足用および左足用が区別できるように編成されたことを特徴とする。
【００１１】
また、本発明では足部、踵部、足裏部、足甲部および足指部が袋形状に編成される靴下の編成方において、
足指部の編成時に正・逆両方向へそれぞれ４〜６°の範囲内のニードルシリンダー上の編針を順次に１：１の比率で非動作状態で移動して第１編成部分の両側端部を編成しながら、前記足裏部に連続する足指部の始部分になる第１編成部分を形成し；
前記第１編成部分に連続して正・逆方向へそれぞれ８〜１２°の範囲内のニードルシリンダー上の編針を順次に非動作状態で移動させ、さらに後に移動された編針一つを動作状態で移動させた後、直ちに非動作状態で移動させる動作を１サイクルとして２〜４回繰り返して小指部分の側端部と親足指部分および人指足指部分の側端部を形成しながら、前記第１編成部分よりその幅が狭くなるように第２編成部分を形成し；
前記第２編成部分に連続して親足指部分および人指足指部分の側端部は正・逆方向へそれぞれ１６〜２４°の範囲内のニードルシリンダー上の編針を順次に非動作状態にする動作を２回繰り返した後、正方向で一つの編針を動作状態にし、逆方向では一つの編針を非動作状態にした後、正・逆方向ではそれぞれ一つの編針を動作状態にするが、この際，小指部分の側端部は正・逆両方向へそれぞれ３６〜４４°の範囲内のニードルシリンダー上の編針を順次に１：１の比率で非動作状態で繰り返し移動するこのような動作を１サイクルとして４回繰り返すことにより、前記第２編成部分よりその幅が狭くなるように第３編成部分を編成し；
前記第３編成部分に連続して正・逆両方向へそれぞれ４〜８°の範囲内のニードルシリンダー上の編針を順次に１：１の比率で非動作状態で移動しながら足指部の裏面最前方部分になり、前記第３編成部分よりその幅が狭くなる第４編成部分を編成して裏面の足指部を形成し；
連続して前記第４編成部分と同一の手順を継続繰り返してそれと同一の第５編成部分を編成し；
前記第５編成部分に連続して親足指部分および人指足指部分の側端部は正・逆方向へそれぞれ１６〜２４°の範囲内のニードルシリンダー上の編針を順次に動作状態にする動作を２回繰り返した後、正方向で一つの編針を非動作状態にし、逆方向では一つの編針を動作状態にし、その次に正・逆方向ではそれぞれ一つの編針を非動作状態にするが、この際、小指部分の側端部は正・逆両方向へそれぞれ３６〜４４°の範囲内のニードルシリンダー上の編針を順次に１：１の比率で動作状態で移動するこのような正・逆方向への動作を１サイクルとして４回繰り返して編成しながら、前記第５編成部分よりその幅が広くなる第６編成部分を編成し；
前記第６編成部分に連続して正・逆方向へそれぞれ８〜１２°の範囲内のニードルシリンダー上の編針を順次に動作状態で移動させ、さらに後に移動された編針一つを非動作状態で移動させた後、直ちに動作状態で移動させる動作を１サイクルとして２〜４回繰り返すことにより、小指部分の側端部と親足指部分および人指足指部分の側端部を編成しながら、前記第６編成部分よりその幅が広くなる第７編成部分を編成し；
前記第７編成部分に連続して正・逆両方向へそれぞれ４〜６°の範囲内のニードルシリンダー上の編針を順次に１：１の比率で動作状態で移動してその両側端部を編成しながら、足指部と足甲部との間の縫込み部分になる第８編成部分を編成して表面の足指部を形成する段階からなることを特徴とする。
【発明の効果】
【００１２】
本発明による靴下は人の足指形状と一致するように左右非対称形状であって人体工学的に形成されるため、長時間着用時にも親足指部分および人指足指部分の締り付き圧着現象がなく楽であり、また、普通の靴下を履く場合に生じる小指部分のだぶだぶな空き緩みがないので、全体的に足指形状にぴったり合うように形成されて履いたとき外観格好が良い特徴がある。
【００１３】
しかも、本発明による靴下は一般消費者も一見して靴下の特徴を直ちに分かるため、普通の靴下との差別化が可能であるので、製品のディスプレー効果を極大化でき、楽な構造だけでなく汗の吸収度が高いながらも通気性および透湿性が向上されて足の健康増進にも大いに寄与することができる機能性の靴下である。
【００１４】
なお、本発明による靴下およびその編成方法は、オーバーシューズ（上靴）や一名スチッカーズとも呼ばれる足首部分のない靴下にも適用可能である。
【発明を実施するための最良の形態】
【００１５】
本発明における靴下はその素材が特別に限定されるのではないが、綿・羊毛繊維のような天然繊維と複合された合成繊維から成り、通気性および透湿性が良いようにして身体熱を発散するための水分を外部へ発散して蒸発を誘導するだけでなく汗を吸収する各種の異形断面構造の特殊糸が用いられこともあり、抗バクテリア処理された糸が用いられる場合は一層望ましい。
【００１６】
上記のごとき構成の本発明による靴下およびその編成方法の特徴の代表的な一例を図示した添付図面を参照して詳細に説明する。
【００１７】
図１および図２に示した通り、本発明による靴下は通常のように袋形状に形成され、足の出入のための入口部が上部に具備された足部１と踵部２および足裏部３と足甲部４が連続して編成されてなる。
【００１８】
そして、足指部５は、図２乃至図４に示した通り、左右非対称形状で人の足指形状と一致するように形成される。すなわち、親足指部分５ａおよび人指足指部分５ｂは幅が広く高く編成され足裏の中心線付近を通過しながら漸次に傾くように編成されて小指部分５ｃ側へ行くほど狭くなるように編成される。
【００１９】
本発明による靴下は全てのシングルまたはダブルの自動靴下編織機により編成されることができ、足部１、踵部２、足裏部３および足甲部４は通常の方式により袋形状に編成される。足指部５もまた通常と同様にシリンダーの上部または下部の編針の半分を用いて第１〜８編成部分Ａ，Ｂ，Ｃ，Ｄ，Ｄ′，Ｃ′，Ｂ′，Ａ′を編成するが、両側端部Ａａ，Ａｂ，Ｂａ，Ｂｂ，Ｃａ，Ｃｂ，Ｄａ，Ｄｂは次の８段階と同様な工程により形成されることにより、特徴的な人体工学的構造を形成するようになる。
【００２０】
まず、図３および図４に示した通り、足裏部３に連続する足指部５の始部分である第１編成部分Ａは正・逆両方向へそれぞれ４〜６°の範囲内のニードルシリンダー上の編針を順次に１：１の比率で非動作状態で移動しながらその両側端部Ａａ，Ａｂを編成するが、３６０°のニードルシリンダー上に編針が１４４個装着されたシングルシリンダー自動靴下編織機の場合を一例として挙げると、正・逆両方向へ側端部Ａｂは９０〜９５°、側端部Ａｂは２６５〜２７０°の範囲内でそれぞれ一つの編針を順次に非動作状態にしながら４コースを編成することにより編成される（第１段階）。
【００２１】
その次に、前記第１編成部分Ａに連続して正・逆方向へそれぞれ８〜１２°の範囲内のニードルシリンダー上の編針を順次に非動作状態で移動させ、さらに後に移動された編針一つを動作状態で移動させた後、直ちに非動作状態で移動させる動作を１サイクルとして２〜４回繰り返すことにより、小指部分５ｃの側端部Ｂａと親足指部分５ａおよび人指足指部分５ｂの側端部Ｂｂを形成しながら、前記第１編成部分Ａよりその幅が狭い第２編成部分Ｂを形成する（第２段階）。
【００２２】
この場合、ニードルシリンダー上に編針が１４４個装着された靴下編織機では正・逆方向へそれぞれ９５〜１０５°および２５５〜２６５°の範囲内の編針が用いられ、４回繰り返す場合、第２編成部分Ｂには１６コースを編成するようになる。
【００２３】
継続して、前記第２編成部分Ｂに連続して親足指部分５ａおよび人指足指部分５ｂの側端部Ｃｂは正・逆方向へそれぞれ１６〜２４°の範囲内のニードルシリンダー上の編針を順次に非動作状態にする動作を２回繰り返した後、正方向で一つの編針を動作状態にし、逆方向では一つの編針を非動作状態にし、その次に正・逆方向ではそれぞれ一つの編針を動作状態にするが、この際、小指部分５ｃの側端部Ｃａは正・逆方向へニードルシリンダー上の３６〜４４°の範囲内の編針を順次に１：１の比率で非動作状態で繰り返し移動させるこのような動作を１サイクルとして４回繰り返すことにより第３編成部分Ｃを編成する（第３段階）。
【００２４】
この際、ニードルシリンダー上の編針が１４４個である靴下編織機では、小指部分５ｃの側端部Ｃａは正・逆方向へそれぞれニードルシリンダー上の１０５〜１４５°の範囲内の編針を順次に１：１の比率で非動作状態で編成し、親足指部分５ａおよび人指足指部分５ｂの側端部Ｃｂは２３５〜２５５°範囲内の編針が前記の通り動作するが、これを４回繰り返して３２コースを編成する。
【００２５】
また、前記第３編成部分Ｃに連続して正・逆両方向へそれぞれ４〜８°の範囲内のニードルシリンダー上の編針を順次に１：１の比率で非動作状態で移動して側端部Ｄａ，Ｄｂを編成しながら足指部５の裏面の最前方部分になる第４編成部分Ｄを編成して、裏面の足指部を形成する（第４段階）。
【００２６】
この第４段階の第４編成部分Ｄの場合、ニードルシリンダー上の編針が１４４個である靴下編織機では正・逆方向へそれぞれ１４５〜１５３°の範囲内で三つの編針を順次に１：１の比率で非動作状態で移動して足指部の先端部になる６コースを編成して足指部の裏面を形成するようになる。
【００２７】
次に、足指部５の表面は、前記第４編成部分Ｄと同一の手順を継続繰り返してそれと同一の第５編成部分Ｄ′を編成し（第５段階）、
前記第５編成部分Ｄ′に連続して第６編成部分Ｃ′は、その親足指部分５ａおよび人指足指部分５ｂの側端部Ｃｂを前記第３編成部分Ｃの場合とは反対に正・逆方向へそれぞれ１６〜２４°の範囲内のニードルシリンダー上の編針を順次に動作状態にする動作を２回繰り返した後、正方向で一つの編針を非動作状態にし、逆方向では一つの編針を動作状態にし、その次に正・逆方向ではそれぞれ一つの編針を非動作状態にして編成する一方、小指部分５ｃの側端部Ｃａは正・逆両方向へ３６〜４４°範囲内のニードルシリンダー上の編針を順次に１：１の比率で動作状態で繰り返し移動して編成するこのような動作を１サイクルとして４回繰り返して編成する（第６段階）。
【００２８】
ニードルシリンダー上の編針が１４４個である靴下編織機は第６編成部分Ｃ´の編成時に親足指部分５ａおよび人指足指部分５ｂの側端部Ｃｂは２３５〜２５５°の範囲内のニードルシリンダー上の編針二つを正・逆方向へそれぞれ順次に動作状態で移動させ、さらに後に移動された編針一つを非動作状態で移動させた後、直ちに動作状態で移動させ、小指部分５ｃの側端部Ｃａは正・逆方向へそれぞれニードルシリンダー上の１０５〜１４５°の範囲内の編針を順次に１：１の比率で動作状態にして４回繰り返し編成することにより総１６コースの第６編成部分Ｃ′を形成する。
【００２９】
前記第６編成部分Ｃ′に連続して正・逆方向へそれぞれ８〜１２°の範囲内のニードルシリンダー上の編針を順次に動作状態で移動させ、さらに後に移動された編針一つを非動作状態で移動させた後、直ちに動作状態で移動させる動作を１サイクルとして２〜４回繰り返して小指部分５ｃの側端部Ｂａと親足指部分５ａおよび人指足指部分５ｂの側端部Ｂｂを編成しながら前記第６編成部分Ｃ′より幅が広い第７編成部分Ｂ′を形成する（第７段階）。
【００３０】
この場合、代表的な一例として挙げた編針１４４個のシングル靴下編織機の場合、第７編成部分Ｂ′は正・逆方向へそれぞれ９５〜１０５°および２５５〜２６５°の範囲内の編針を用いそれらの側端部Ｂａ，Ｂｂを編成して４回繰り返すと第２編成部分Ｂと同様に１６コースを編成するようになる。
【００３１】
最後に、正・逆両方向へそれぞれ４〜６°の範囲内のニードルシリンダー上の編針を順次に１：１の比率で動作状態で移動しながら第８編成部分Ａ′の両側端部Ａａ，Ａｂを編成しながら、その端部が足指部５と足甲部４との間の縫込み部分になる第８編成部分Ａ′を形成するが（第８段階）、また３６０°ニードルシリンダー上に編針が１４４個装着された靴下編織機の場合、正・逆両方向へ９０〜９５°および２６５〜２７０°範囲内でそれぞれ一つの編針を順次に動作状態にしながら４コースを編成することにより足指部５の表面を形成するようになる。
【００３２】
このような編成方法により製造された靴下の足指部５は、親足指部分５ａおよび人指足指部分５ｂと小指部分５ｃの側端部らＡａ，Ａｂ，Ｂａ，Ｂｂ，Ｃａ，Ｃｂ，Ｄａ，Ｄｂが段階的にその傾斜を異にしながらそれぞれ編成されて、小指側へ行くほどかなり狭くなるよう編成されて、靴下の足指部は左右非対称形状を成す。
【００３３】
より具体的に言えば、図３に示された通り、前記足指部５の最底面Ｙを基準として親足指部分５ａおよび人指足指部分５ｂの表・裏面側端部Ａｂ，Ｄｂの傾斜θ１，θ４は４０〜５０°になり、側端部Ｂｂ，Ｃｂの傾斜θ２，θ３は６０〜７０°になり、小指部分５ｃの表・裏面側端部Ａａ，Ｃａ，Ｄａの傾斜θ５，θ７，θ８は４０〜５０°であり、側端部Ｂａの傾斜θ６は６０〜７０°になるよう段階的にその傾斜度を異にして幅が狭くなるように編成されて、第１〜８編成部分Ａ，Ｂ，Ｃ，Ｄ，Ｄ′，Ｃ′，Ｂ′，Ａ′それぞれの左右側端の側端部らＡａ，Ａｂ，Ｂａ，Ｂｂ，Ｃａ，Ｃｂ，Ｄａ，Ｄｂにおける編環が中間部分の編環よりやや長く形成されて通気性が優れ、図３に示された最適の仮想線Ｘに近接するよう編成されて親足指部分５ａと人指足指部分５ｂは幅が広く編成される反面、小指部分５ｃ側へ行くほど漸次に狭く編成されて小指部分５ｃが最も狭く編成されるため、若しか左右両方の靴下を逆さまに履き換えた場合、外観の格好が見苦しい程度に一見して左・右用の靴下を明らかに区別できるように編成される。
【図面の簡単な説明】
【００３４】
【図１】本発明による靴下の全体的な形態を示した斜視図である。
【図２】本発明による靴下を履いたとき靴下内に配置される足指の状態を概略的に示した底面図である。
【図３】本発明による靴下において足指部の編成形状およびニードルシリンダー上の編針の動作区間を示した図式図である。
【図４】前記図３の靴下の足指部を編成する工程を図式的に示した概略図である。
【符号の説明】
【００３５】
１    足部
２    踵部
３    足裏部
４    足甲部
５    足指部
５ａ  親足指
５ｂ  人指足指
５ｃ  小指
Ａ    第１編成部分
Ｂ    第２編成部分
Ｃ    第３編成部分
Ｄ    第４編成部分
Ｄ′  第５編成部分
Ｃ′  第６編成部分
Ｂ′  第７編成部分
Ａ′  第８編成部分
Ｘ    最適の仮想線
Ｙ    足指部の最底面
θ１，θ２，θ３，θ４，
θ５，θ６，θ７，θ８  編成側端部の傾斜
【図１】
2006144209.tif 000003
【図２】
2006144209.tif 000004
【図３】
2006144209.tif 000005
【図４】
2006144209.tif 000006